【手続補正書】
【提出日】平成17年12月7日(2005.12.7)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  吸引力を発生する電動送風機と、前記電動送風機の吸引力が作用し被掃除面の塵埃を吸い込むための吸口体と、前記吸口体からの塵埃を集塵する遠心力集塵部とを備え、前記電動送風機を、ファン部と、前記ファン部を駆動するモータとで構成し、前記モータを低入力型モータとした電気掃除機。
【請求項２】  吸引力を発生する電動送風機と、前記電動送風機の吸引力が作用し被掃除面の塵埃を吸い込むための吸口体と、前記吸口体からの塵埃を集塵する遠心力集塵部と、前記吸口体に前記電動送風機の排気を導く排気通路とを備え、前記電動送風機を、ファン部と、前記ファン部を駆動するモータとで構成し、前記モータを低入力型モータとした電気掃除機。
【請求項３】  遠心力集塵部から電動送風機に流入する塵埃を除去するフィルターを備えた請求項１または２記載の電気掃除機。
【請求項４】  モータを直流モータとした請求項１〜３のいずれか１項記載の電気掃除機。
【請求項５】  モータを電池で駆動する請求項１〜４のいずれか１項記載の電気掃除機。
【請求項６】  遠心力集塵部に、吸口体からの塵埃を導入する吸気口と、電動送風機の吸引側に連通する排気口を設けるとともに、前記排気口を覆うようにフィルターを設けた請求項１〜５のいずれか１項記載の電気掃除機。
【請求項７】  フィルターの下部が吸気口より上方に位置する請求項６記載の電気掃除機。
【請求項８】  フィルターの下端部が吸気口より下方に位置する請求項６記載の電気掃除機。
【請求項９】  フィルターの下部が吸気口の一部とオーバーラップする請求項６記載の電気掃除機。
【請求項１０】  遠心力集塵部を、吸気口を設けた有底のダストボックスと、前記ダストボックスの上部開口部を覆うとともに排気口を設けた蓋体とで構成し、前記上部開口部をフィルターで覆う請求項１〜５のいずれか１項記載の電気掃除機。
【請求項１１】  遠心力集塵部を、吸気口を設けた有底のダストボックスと、前記ダストボックスの上部開口部を覆う蓋体とで構成し、前記蓋体には排気口を設け、前記排気口を覆うようにフィルターを前記蓋体に設けた請求項１〜５のいずれか１項記載の電気掃除機。
【請求項１２】  遠心力集塵部を、有底のダストボックスと、前記ダストボックスの上部開口部を覆う蓋体とで構成し、前記蓋体には吸気口および排気口を設け、前記排気口を覆うようにフィルターを前記蓋体に設けた請求項１〜５のいずれか１項記載の電気掃除機。
【請求項１３】  排気口の面積に比べフィルターの表面積を大きくした請求項１〜１２のいずれか１項記載の電気掃除機。
【発明の詳細な説明】
【０００１】
【発明の属する技術分野】
本発明は、サイクロン作用による遠心力で集塵する遠心力集塵部を備えた電気掃除機に関するものである。
【０００２】
【従来の技術】
従来、この種の遠心力集塵部は図１２および図１３に示すように構成していた。以下、その構成について説明する。
【０００３】
図に示すように、集塵容器１は円筒形に形成し、下方側壁に吸気口２を設け、この吸気口２の内側にガイドプレート３を設けている。蓋体４は集塵容器１の上端開口に開閉可能に、かつ気密に取り付け、この蓋体４の内面に吸排気装置５を取り付けている。
【０００４】
吸排気装置５は、ファン（図示せず）とこのファンを駆動するモータ（図示せず）とで構成し、吸気口２から集塵容器１内へ導入した空気を、蓋体４の側面に設けた排気孔４ａおよび蓋体４の上面に設けた排気孔４ｂより排出するようにしている。
【０００５】
フィルター支持体６は、蓋体４の内面に吸排気装置５を囲むように取り付け、その壁面に多数の通気孔６ａをあけている。このフィルター支持体６の外面にこれを覆うように略円錐形のペーパーフィルター７を取り付けている。ホルダーピース８はペーパーフィルター７の先端を保持するものである。
【０００６】
上記構成において、集塵容器１の吸気口２に吸引ホース（図示せず）とを接続し、吸排気装置５を作動させると、吸気口２から導入された空気は、ガイドプレート３により方向変換され、矢印で示すように、集塵容器１の内周に沿った渦流となってペーパーフィルター７の周囲を回転し、そのサイクロン作用による遠心力によって空気中の塵埃は集塵容器１の内壁面に沿って集められ、大きな塵埃は集塵容器１の底部に溜まり、ペーパーフィルター７にはきわめて微細な塵埃だけが付着する。
【０００７】
【発明が解決しようとする課題】
このような従来の構成では、集塵容器１の下方に吸気口２を設けているので、吸気口２から導入された塵埃を含む空気は集塵容器１の内周面に沿って回転し、サイクロン作用による遠心力で集塵するが、集塵した塵埃が集積するのは集塵容器１の下部であるため、吸気口２からの空気が集積した塵埃を舞い上がらせ、塵埃がフィルター７全体に付着し、目詰まりがはやくなるという問題を有している。そのため、ペーパーフィルター７を容易に取り付け、取り替えが出来るようになっている。
【０００８】
さらに、ペーパーフィルター７の目詰まりを最少にしてフィルター目詰まりによる通風抵抗を小さくすることに対して全く考慮しておらず、ペーパーフィルター７が目詰まりした状態でも集塵が出来るように、吸排気装置５として、高入力型モータを使用することが必須要件となっていた。このため、装置が大型になるという問題も有していた。
【０００９】
本発明は上記従来の課題を解決するもので、遠心力集塵部を小型、軽量にして、低消費電力で動作させる電気掃除機を得ることを目的としている。
【００１０】
【課題を解決するための手段】
本発明は上記目的を達成するために、吸引力を発生する電動送風機の吸引力が作用する吸口体より被掃除面の塵埃を吸い込み、吸口体からの塵埃を遠心力集塵部に集塵するよう構成し、電動送風機をファン部とファン部を駆動するモータとで構成し、モータを低入力型モータとしたものである。
【００１１】
これにより、低入力型モータによりファン部を駆動することにより、小型の遠心力集塵部における流入速度を最適にすることができ、遠心力集塵における集塵性能を確保しながら、遠心力集塵部を小型、軽量にして、低消費電力の電気掃除機を得ることができる。
【００１２】
【発明の実施の形態】
本発明の請求項１に記載の発明は、吸引力を発生する電動送風機と、前記電動送風機の吸引力が作用し被掃除面の塵埃を吸い込むための吸口体と、前記吸口体からの塵埃を集塵する遠心力集塵部とを備え、前記電動送風機を、ファン部と、前記ファン部を駆動するモータとで構成し、前記モータを低入力型モータとしたものであり、電動送風機の吸引力により吸口体より吸い込まれた被掃除面上の塵埃を含む空気は、遠心力集塵部内に流入してサイクロン作用により遠心力集塵される。ここで、低入力型モータによりファン部を駆動することにより、小型の遠心力集塵部における流入速度を最適にすることができ、遠心力集塵における集塵性能を確保しながら、遠心力集塵部を小型、軽量にして、低消費電力の電気掃除機を得ることができる。また、モータを低入力型モータとすることにより、モータを電池により駆動することも可能となり、コードレスにできて掃除作業性を向上することができる。
【００１３】
請求項２に記載の発明は、吸引力を発生する電動送風機と、前記電動送風機の吸引力が作用し被掃除面の塵埃を吸い込むための吸口体と、前記吸口体からの塵埃を集塵する遠心力集塵部と、前記吸口体に前記電動送風機の排気を導く排気通路とを備え、前記電動送風機を、ファン部と、前記ファン部を駆動するモータとで構成し、前記モータを低入力型モータとしたものであり、電動送風機の吸引力により吸口体より吸い込まれた被掃除面上の塵埃を含む空気は、遠心力集塵部内に流入してサイクロン作用により遠心力集塵される。ここで、低入力型モータによりファン部を駆動することにより、小型の遠心力集塵部における流入速度を最適にすることができ、遠心力集塵における集塵性能を確保しながら低消費電力の電気掃除機を得ることができるとともに、吸口体に電動送風機の排気を排気通路を通して導くことにより、電動送風機の排気によって被掃除面の塵埃を舞い上がらせることができ、集塵性能を一層向上することができる。また、モータを低入力型モータとすることにより、モータを電池により駆動することも可能となる。
【００１４】
請求項３に記載の発明は、上記請求項１または２に記載の発明において、遠心力集塵部から電動送風機に流入する塵埃を除去するフィルターを備えたものであり、吸口体より吸い込まれた塵埃を含む空気が遠心力集塵部内に流入してサイクロン作用により遠心力集塵される際、大きな塵埃は遠心力集塵部の底部に集積され、小さな塵埃はフィルターに付着する。このため、フィルターの通風圧損を長期にわたって小さくすることができ、低入力型のモータにより構成した電動送風機によっても高い集塵性能を得ることができる。
【００１５】
請求項４に記載の発明は、上記請求項１〜３に記載の発明において、モータを直流モータとしたものであり、モータとして直流モータを用いると銅損が少なく、エネルギー変換率が高いので、低消費電力、低入力型のモータとすることができて、小型にすることができ、また、吸口体に電動送風機の排気を排気通路を通して導く循環式の場合には、排気の一部によってモータを冷却することができ、一層小型にすることができる。
【００１６】
請求項５に記載の発明は、上記請求項１〜４に記載の発明において、モータを電池で駆動するものであり、掃除する際、コードレスとして被掃除面に対して吸口体を自在に移動させることができ、使い勝手を向上することができるとともに、ちょっとした掃除も手軽に、かつ簡単に掃除することができ、しかも、モータが低消費電力、低入力型であるので、電池で駆動するようにしても、長時間掃除することができる。
【００１７】
請求項６に記載の発明は、上記請求項１〜５に記載の発明において、遠心力集塵部には、吸口体からの塵埃を導入する吸気口と、電動送風機の吸引側に連通する排気口を設けるとともに、前記排気口を覆うようにフィルターを設けたものであり、吸気口より遠心力集塵部内に導入された塵埃を含む空気は、遠心力集塵部内でサイクロン作用による遠心力によって塵埃を集塵した後、排気口より排出される。このとき、大きな塵埃は遠心力集塵部の底部に集積され、小さな塵埃は排気口を覆うように設けたフィルターに付着するため、フィルターの通風圧損を長期にわたって小さくすることができ、高い集塵性能を得ることができる。
【００１８】
請求項７に記載の発明は、上記請求項６に記載の発明において、フィルターの下部が吸気口より上方に位置するものであり、電動送風機の吸引力により、吸気口より遠心力集塵部内に導入された塵埃を含む空気が遠心力集塵部の内周に沿った渦流となって回転する際、フィルターに塵埃が直接当たることがなく、サイクロン作用による遠心力によって円滑に集塵することができ、集塵性能を向上することができる。
【００１９】
請求項８に記載の発明は、上記請求項６に記載の発明において、フィルターの下端部が吸気口より下方に位置するものであり、電動送風機の吸引力により、吸気口より遠心力集塵部内に導入された塵埃を含む空気が遠心力集塵部の内周に沿った渦流となって回転する際、吸気口近傍のフィルターの側面に塵埃が直接当たることにより、フィルターをセルフクリーニングすることができ、集塵性能を向上することができる。
【００２０】
請求項９に記載の発明は、上記請求項６に記載の発明において、フィルターの下部が吸気口の一部とオーバーラップするものであり、電動送風機の吸引力により、吸気口より遠心力集塵部内に導入された塵埃を含む空気が遠心力集塵部の内周に沿った渦流となって回転する際、吸気口近傍のフィルターの側面および底面に塵埃が直接当たることにより、フィルターを広い範囲にわたってセルフクリーニングすることができ、集塵性能を向上することができる。
【００２１】
請求項１０に記載の発明は、上記請求項１〜５に記載の発明において、遠心力集塵部を、吸気口を設けた有底のダストボックスと、前記ダストボックスの上部開口部を覆うとともに排気口を設けた蓋体とで構成し、前記上部開口部をフィルターで覆うものであり、電動送風機の吸引力により、吸口体からの塵埃を吸気口より遠心力集塵部を構成するダストボックス内に導入し、導入された塵埃を含む空気はダストボックスの内周に沿った渦流となって回転し、そのサイクロン作用による遠心力によって集塵され、大きな塵埃はダストボックスの底部に集積され、小さな塵埃は上部開口部を覆うフィルターに付着し、長期にわたって高い集塵性能を得ることができる。また、ダストボックスの内容積が大きな塵埃を堆積できる量となり、ダストボックス内が満杯になるとダストボックスのみを取り外して塵埃を廃棄することができる。このとき、ダストボックスの上部開口部をフィルターで覆っているので、衛生的である。
【００２２】
請求項１１に記載の発明は、上記請求項１〜５に記載の発明において、遠心力集塵部を、吸気口を設けた有底のダストボックスと、前記ダストボックスの上部開口部を覆う蓋体とで構成し、前記蓋体には排気口を設け、前記排気口を覆うようにフィルターを前記蓋体に設けたものであり、電動送風機の吸引力により、吸口体からの塵埃を吸気口より遠心力集塵部を構成するダストボックス内に導入し、導入された塵埃を含む空気はダストボックスの内周に沿った渦流となって回転し、そのサイクロン作用による遠心力によって集塵され、大きな塵埃はダストボックスの底部に集積され、小さな塵埃は上部開口部を覆うフィルターに付着し、長期にわたって高い集塵性能を得ることができる。また、フィルターを排気口を覆うように蓋体に設けているので、フィルターがダストボックス内に突出しないため、ダストボックスの内容積を大きくすることができ、堆積できる塵埃の量を多くすることができる。
【００２３】
請求項１２に記載の発明は、上記請求項１〜５に記載の発明において、遠心力集塵部を、有底のダストボックスと、前記ダストボックスの上部開口部を覆う蓋体とで構成し、前記蓋体には吸気口および排気口を設け、前記排気口を覆うようにフィルターを前記蓋体に設けたものであり、電動送風機の吸引力により、吸口体からの塵埃を吸気口より遠心力集塵部を構成するダストボックス内に導入し、導入された塵埃を含む空気はダストボックスの内周に沿った渦流となって回転し、そのサイクロン作用による遠心力によって集塵され、大きな塵埃はダストボックスの底部に集積され、小さな塵埃は上部開口部を覆うフィルターに付着し、長期にわたって高い集塵性能を得ることができる。また、ダストボックス内が満杯になるとダストボックスのみを取り外して塵埃を廃棄することができる。このとき、蓋体に吸気口と排気口を設けているので、ダストボックスには吸気口、排気口などの開口部が不要となる。したがって、塵埃を上端開口部まで溜めることができ、塵埃を廃棄するとき、ダストボックスには開口部がないため、塵埃がこぼれることがない。
【００２４】
請求項１３に記載の発明は、上記請求項１〜１２に記載の発明において、排気口の面積に比べフィルターの表面積を大きくしたものであり、フィルターの通風圧損を長期にわたって小さくすることができ、高い集塵性能を得ることができる。
【００２５】
【実施例】
以下、本発明の実施例について、図面を参照しながら説明する。
【００２６】
（実施例１）
本発明の第１の実施例を図１〜３を用いて説明する。
【００２７】
掃除機本体１０は、吸引力を発生する電動送風機１１を内蔵し、下部前方に吸口体１２を設けるとともに下部後方にローラー１３を設け、掃除機本体１０の上部に設けたハンドル部１４を操作することにより被掃除面を移動可能にしている。また、ハンドル部１４に延長管１５を介して把手１６を取り付けることにより、使用者の手の高さで操作することができる。
【００２８】
吸口体１２には、被掃除面の塵埃を掻き上げる回転ブラシ１７を設け、電動送風機１１の吸引力が作用して被掃除面の塵埃を吸い込むよう構成している。
【００２９】
遠心力集塵部１８は、吸口体１２からの塵埃を集塵するもので、図３に示すように、側壁に接線方向に吸気口１９を設けた有底の略円筒形状に形成したダストボックス２０と、ダストボックス２０の上部開口部２１を覆うとともに排気口２２を設けた蓋体２３とで構成し、上部開口部２１をフィルター２４で覆っている。ここで、フィルター２４の下部が吸気口１９より上方に位置するようにしている。また、排気口２２の面積に比べフィルター２４の表面積を大きくしている。
【００３０】
この遠心力集塵部１８は、取っ手２５を有し、この取っ手２５により掃除機本体１０に着脱自在に取り付け可能とし、掃除機本体１０に取り付けたとき、吸口体１２に連通した吸気通路２６に吸気口１９を圧接して気密に連結できるように構成している。
【００３１】
電動送風機１１は、ファン部２７と、このファン部２７を駆動するモータ２８とで構成し、モータ２８を直流モータで構成し、モータ入力４０Ｗ、ファン出力２０Ｗの低入力型モータを使用している。電池２９はモータ２８を駆動するもので、ニッケル−カドミウム電池１０セル（１．２Ｖ／セル）を使用し、モータ２８に１２Ｖを印加し、電流３．３Ａを流すようにしている。この電池２９では２５分の連続運転が可能となる。
【００３２】
上記構成において動作を説明する。遠心力集塵部１８を掃除機本体１０に取り付け、運転を開始すると、吸口体１２より、吸気通路２６、遠心力集塵部１８の吸気口１９、フィルター２４および遠心力集塵部１８の排気口２２を通る経路で電動送風機１１の吸引力が作用し、この電動送風機１１の吸引力により、回転ブラシ１７により掻き上げられた被掃除面の塵埃を吸口体１２より吸い込む。この吸い込まれた塵埃は、空気とともに吸口体１２に連通した吸気通路２６を通して、吸気口１９より遠心力集塵部１８内に接線方向より導入される。
【００３３】
吸気口１９から接線方向に導入された塵埃を含む空気は、サイクロン作用により遠心力集塵部１８の内周面に沿った渦流となって回転しながら下降し、下端近くまで下降すると、流れは反転上昇を始め、遠心力集塵部１８の中心部を回転しながら排気口２２へと上昇していく。
【００３４】
このとき、サイクロン作用による遠心力によって、空気中の塵埃は遠心力集塵部１８を構成するダストボックス２０の内壁面に沿って下降し、大きな塵埃はダストボックス２０の底部に集積され、微細な塵埃はダストボックス２０のほぼ中心部を反転上昇して、フィルター２４で捕捉される。
【００３５】
すなわち、サイクロン作用による遠心力によって集塵することによって、電動送風機１１の吸引側に流れ込もうとする塵埃を減らすことができ、したがって、その塵埃を除去するフィルター２４により付着する塵埃の量はきわめて少なくなる。特に、ダストボックス２０の底面から離れるにしたがって塵埃の舞い上がりの影響は少なくなり、排気口２２に近い位置では舞い上がりによる塵埃の付着も低く抑えることができる。
【００３６】
このように、ダストボックス２０の底面から離れた位置にフィルター２４を設けることにより、ダストボックス２０内に溜まった塵埃を捨てるたびにフィルター２４を掃除しなければならない程目詰まりすることがなく、高い集塵性能を、かつそれを長期に渡って得ることができるとともに、使い勝手を向上することができる。
【００３７】
また、低入力型のモータ２８を採用することで、遠心力集塵部１８の底部から排気口２２に向かって流れる気流速度も遅くなり、塵埃の舞い上げを抑制する効果も得られる。このように、低入力型のモータ２８と遠心力集塵部１８との組み合わせにより、フィルター２４のみで塵埃のすべてを除去するのではないので、フィルター２４が目詰まりしにくく、フィルター２４の通風抵抗が低入力型のモータ２８では大きくなりすぎることも防止することができ、低入力型のモータ２８を採用する上で、きわめて有用である。
【００３８】
また、ダストボックス２０の内容積が大きな塵埃を堆積できる量となり、ダストボックス２０内が満杯になるとダストボックス２０を取り外して塵埃を廃棄するとき、ダストボックス２０の上部開口部２１をフィルター２４で覆っているので、細塵が飛散せず衛生的である。
【００３９】
また、フィルター２４の下部が吸気口１９より上方に位置しているので、電動送風機１１の吸引力により、吸気口１９よりダストボックス２０内に接線方向に導入された塵埃がダストボックス２０の内周面に沿った渦流となって回転する際、フィルター２４に塵埃が直接当たることがなく、サイクロン作用による遠心力によって円滑に集塵することができ、集塵性能を向上することができる。
【００４０】
また、排気口２２の面積に比べフィルター２４の表面積を大きくしているので、フィルター２４の通風圧損を長期にわたって小さくすることができ、高い集塵性能を得ることができる。
【００４１】
ここで、電動送風機１１を構成するモータ２８を低入力型モータとすることにより、モータ２８そのものを小型にできるとともに、モータ２８を電池２９により駆動する場合に、電池２９を小型、軽量にでき、掃除機本体の重量を軽量にできる。
【００４２】
すなわち、電池２９を使用してモータ２８を駆動し掃除を行う場合には、モータ２８の入力を低く抑え、電池２９の電圧および電流を低減することが重要になってくる。電池２９では１０Ａを超える電流を流すと発熱を起こし、電池性能を低下させたり、また、電池２９の電圧を高くしようとすれば電池２９のセル数を増加させなくてはならない。
【００４３】
たとえば、商用電源で電力を供給する電気掃除機では、１０００Ｗ以上の入力を有するものがあるが、これをニッケル−カドミウム電池で実用化しようとすれば、まず、電流制限１０Ａがあり、この１０Ａをベースに電圧を考えると１００Ｖ必要となる。
【００４４】
１００Ｖをニッケル−カドミウム電池で作ろうとすれば、約８３セルが必要となり、電池重量（５０ｇ×８３＝４１５０ｇ）および電池収容空間などを考慮すると、掃除機に到底採用することはできない。また、１セル当たりの電圧が高い鉛電池（２Ｖ）を使用したとしても、５０セル（１２５ｇ×５０＝６２５０ｇ）必要となり、上述した通り掃除機への採用は困難である。
【００４５】
したがって、電池２９でも使用が可能なモータ入力を考えると、現状では３００Ｗ以下、すなわち、電流１０Ａとした場合、電圧３０Ｖとなり、ニッケル−カドミウム電池であれば２５セル（１２５０ｇ）となり、実用化が可能な範囲となる。一方、掃除作業性、運搬性を考えると、掃除機本体の重量を４ｋｇ以下に抑えることが好ましく、この全体重量は電池の他に、本体外郭の重量、モータの重量、防音部材、制御回路部品などが加わるので、２ｋｇ以上の電池重量では実現が困難となる。
【００４６】
また、モータ２８を直流モータで構成しているので、直流モータを用いることにより銅損が少なく、エネルギー変換率を高くできるので、低消費電力、低入力型のモータとすることができて、小型にすることができる。
【００４７】
また、モータ２８を電池２９で駆動することにより、掃除する際、コードレスとして被掃除面に対して吸口体１２を自在に移動させることができ、使い勝手を向上することができるとともに、ちょっとした掃除も手軽に、かつ簡単に掃除することができ、しかも、モータ２８が低消費電力、低入力型であるので、電池２９で駆動するようにしても、長時間掃除することができる。
【００４８】
なお、上記実施例では、フィルター２４の下部が吸気口１９より上方に位置するようにしているが、図４に示すように、フィルター２４ａの下端部が吸気口１９より下方に位置するようにしてもよく、この場合には、電動送風機１１の吸引力により、遠心力集塵部１８ａを構成するダストボックス２０に設けた吸気口１９よりダストボックス２０内に接線方向に導入された塵埃を含む空気がダストボックス２０の内周に沿った渦流となって回転する際、吸気口１９近傍のフィルター２４ａの側面に直接当たることになり、フィルター２４ａをセルフクリーニングすることができ、集塵性能を向上することができる。
【００４９】
また、図５に示すように、フィルター２４ｂの下部が吸気口１９の一部とオーバーラップするようにしてもよく、この場合には、電動送風機１１の吸引力により、遠心力集塵部１８ｂを構成するダストボックス２０に設けた吸気口１９よりダストボックス２０内に接線方向に導入された塵埃を含む空気がダストボックス２０の内周に沿った渦流となって回転する際、吸気口１９近傍のフィルター２４ｂの側面および底面に直接当たることになり、フィルター２４ｂを広い範囲にわたってセルフクリーニングすることができ、集塵性能を向上することができる。
【００５０】
（実施例２）
本発明の第２の実施例を図６〜８を用いて説明する。尚、上記実施例と同一部分については、同一符号を付してその説明を省略する。
【００５１】
掃除機本体１０ａは、吸引力を発生する電動送風機１１を内蔵し、下部前方に吸口体１２を設けるとともに、遠心力集塵部１８を着脱自在に取り付け可能とし、掃除機本体１０ａに取り付けたとき、吸口体１２に連通した吸気通路２６に吸気口１９を圧接して気密に連結できるように構成している。排気通路３０は、排気孔３１を通して電動送風機１１の排気の一部を吸口体１２に導くものである。他の構成は上記実施例１と同じである。
【００５２】
上記構成において動作を説明する。遠心力集塵部１８を掃除機本体１０ａに取り付け、運転を開始すると、上記実施例１と同様に、吸口体１２より、吸気通路２６、遠心力集塵部１８の吸気口１９、フィルター２４および遠心力集塵部１８の排気口２２を通る経路で電動送風機１１の吸引力が作用し、この電動送風機１１の吸引力により、回転ブラシ１７により掻き上げられた被掃除面の塵埃を吸口体１２より吸い込む。この吸い込まれた塵埃は、空気とともに吸口体１２に連通した吸気通路２６を通して、吸気口１９より遠心力集塵部１８内に接線方向に導入される。
【００５３】
吸気口１９から接線方向に導入された塵埃を含む空気は、遠心力集塵部１８の内周面に沿った渦流となって回転しながら下降し、下端近くまで下降すると、流れは反転上昇を始め、遠心力集塵部１８の中心部を回転しながら排気口２２へと上昇していく。
【００５４】
このとき、サイクロン作用による遠心力によって、空気中の塵埃は遠心力集塵部１８を構成するダストボックス２０の内壁面に沿って下降し、大きな塵埃はダストボックス２０の底部に集積され、微細な塵埃はダストボックス２０のほぼ中心部を反転上昇して、フィルター２４に付着する。
【００５５】
このとき、吸口体１２に電動送風機１１の排気の一部を排気通路３０を通して導くことにより、電動送風機１１の排気によって被掃除面の塵埃を舞い上がらせることができ、集塵性能を一層向上することができる。
【００５６】
（実施例３）
本発明の第３の実施例を図９を用いて説明する。尚、上記実施例と同一部分については、同一符号を付してその説明を省略する。
【００５７】
遠心力集塵部１８ｃを、吸気口１９を設けた有底のダストボックス２０と、このダストボックス２０の上部開口部２１を覆う蓋体２３とで構成し、蓋体２３に排気口２２を設け、この排気口２２を覆うようにフィルター２４ｃを蓋体２３に設けている。他の構成は上記実施例１または２と同じである。
【００５８】
上記構成において動作を説明する。遠心力集塵部１８ｃを掃除機本体１０に取り付け、運転を開始すると、上記実施例１と同様に、吸口体１２より、吸気通路２６、遠心力集塵部１８ｃの吸気口１９、フィルター２４ｃおよび遠心力集塵部１８ｃの排気口２２を通る経路で電動送風機１１の吸引力が作用し、この電動送風機１１の吸引力により、回転ブラシ１７により掻き上げられた被掃除面の塵埃を吸口体１２より吸い込む。この吸い込まれた塵埃は、空気とともに吸口体１２に連通した吸気通路２６を通して、吸気口１９より遠心力集塵部１８ｃ内に接線方向に導入される。
【００５９】
吸気口１９から接線方向に導入された塵埃を含む空気は、遠心力集塵部１８ｃの内周面に沿った渦流となって回転しながら下降し、下端近くまで下降すると、流れは反転上昇を始め、遠心力集塵部１８ｃの中心部を回転しながら排気口２２へと上昇していく。
【００６０】
このとき、サイクロン作用による遠心力によって、空気中の塵埃は遠心力集塵部１８ｃを構成するダストボックス２０の内壁面に沿って下降し、大きな塵埃はダストボックス２０の底部に集積され、微細な塵埃はダストボックス２０のほぼ中心部を反転上昇して、フィルター２４ｃに付着し、長期にわたって高い集塵性能を得ることができる。
【００６１】
また、ダストボックス２０内が満杯になるとダストボックス２０のみを取り外して塵埃を廃棄することができる。このとき、フィルター２４ｃを排気口２２を覆うように蓋体２３に設けているので、フィルター２４ｃがダストボックス２０内に突出しないため、ダストボックス２０の内容積を大きくすることができ、堆積できる塵埃の量を多くすることができる。
【００６２】
（実施例４）
本発明の第４の実施例を図１０，１１を用いて説明する。尚、上記実施例と同一部分については、同一符号を付してその説明を省略する。
【００６３】
掃除機本体１０ｄは、吸引力を発生する電動送風機１１を内蔵し、下部前方に吸口体１２を設けている。遠心力集塵部１８ｄは、吸口体１２からの塵埃を集塵するもので、有底の略円筒形状に形成したダストボックス２０ｄと、ダストボックス２０ｄの上部開口部を覆うとともに吸気口１９ｄと排気口２２ｄを設けた蓋体を兼ねる掃除機本体１０ｄとで構成し、排気口２２ｄを覆うようにフィルター２４を蓋体を兼ねる掃除機本体１０ｄに設け、ダストボックス２０ｄを掃除機本体１０ｄに着脱自在に取り付け可能としている。
【００６４】
ダストボックス２０ｄを掃除機本体１０ｄに取り付けたとき、ダストボックス２０ｄの上部開口部を掃除機本体１０ｄに圧接して気密に連結できるように構成している。また、吸気口１９ｄは、吸口体１２に連通した吸気通路２６に連結している。他の構成は上記実施例１または２と同じである。
【００６５】
上記構成において動作を説明する。ダストボックス２０ｄを掃除機本体１０ｄに取り付け、運転を開始すると、上記実施例１と同様に、吸口体１２より、吸気通路２６、遠心力集塵部１８ｄの吸気口１９ｄ、フィルター２４および遠心力集塵部１８ｄの排気口２２ｄを通る経路で電動送風機１１の吸引力が作用し、この電動送風機１１の吸引力により、回転ブラシ１７により掻き上げられた被掃除面の塵埃を吸口体１２より吸い込む。この吸い込まれた塵埃は、空気とともに吸口体１２に連通した吸気通路２６を通して、吸気口１９ｄより遠心力集塵部１８ｄ内に接線方向に導入される。
【００６６】
吸気口１９ｄから接線方向に導入された塵埃を含む空気は、遠心力集塵部１８ｄの内周面に沿った渦流となって回転しながら下降し、下端近くまで下降すると、流れは反転上昇を始め、遠心力集塵部１８ｄの中心部を回転しながら排気口２２ｄへと上昇していく。
【００６７】
このとき、サイクロン作用による遠心力によって、空気中の塵埃は遠心力集塵部１８ｄを構成するダストボックス２０ｄの内壁面に沿って下降し、大きな塵埃はダストボックス２０ｄの底部に集積され、微細な塵埃はダストボックス２０ｄのほぼ中心部を反転上昇して、フィルター２４に付着し、長期にわたって高い集塵性能を得ることができる。
【００６８】
また、ダストボックス２０ｄ内が満杯になるとダストボックス２０ｄのみを取り外して塵埃を廃棄することができる。このとき、蓋体を兼ねる掃除機本体１０ｄ側に吸気口１９ｄと排気口２２ｄを設けているので、ダストボックス２０ｄには吸気口、排気口などの開口部が不要となる。したがって、塵埃をダストボックス２０ｄの上端開口部まで溜めることができ、塵埃を廃棄するとき、ダストボックス２０ｄには吸気口、排気口などの開口部がないため、その部分から塵埃がこぼれることがない。
【００６９】
【発明の効果】
以上のように本発明によれば、低入力型モータによりファン部を駆動することにより、遠心力集塵における集塵性能を確保しながら、遠心力集塵部を小型、軽量にして、低消費電力の電気掃除機を得ることができる。
【図面の簡単な説明】
【図１】
本発明の第１の実施例を示す電気掃除機の縦断面図
【図２】
同電気掃除機の斜視図
【図３】
同電気掃除機の遠心力集塵部の一部切欠した正面図
【図４】
他の例を示す遠心力集塵部の一部切欠した正面図
【図５】
他の例を示す遠心力集塵部の一部切欠した正面図
【図６】
本発明の第２の実施例を示す電気掃除機の縦断面図
【図７】
同電気掃除機の正面図
【図８】
同電気掃除機の横断面図
【図９】
本発明の第３の実施例を示す電気掃除機の遠心力集塵部の一部切欠した正面図
【図１０】
本発明の第４の実施例を示す電気掃除機の縦断面図
【図１１】
同電気掃除機の正面図
【図１２】
従来の電気掃除機の遠心力集塵部の一部切欠した正面図
【図１３】
同電気掃除機の遠心力集塵部の一部切欠した上面図
【符号の説明】
１１  電動送風機
１２  吸口体
１８  遠心力集塵部
２７  ファン部
２８  モータ
【手続補正２】
【補正対象書類名】図面
【補正対象項目名】図１
【補正方法】変更
【補正の内容】
【図１】
2001037687.tif 000001
【手続補正３】
【補正対象書類名】図面
【補正対象項目名】図６
【補正方法】変更
【補正の内容】
【図６】
2001037687.tif 000002
【手続補正４】
【補正対象書類名】図面
【補正対象項目名】図７
【補正方法】変更
【補正の内容】
【図７】
2001037687.tif 000003